(57)【要約】【課題】管路敷設坑の内壁面と管の外周との間の作業スペースが狭い場合であっても、ベルトを容易に回収することが可能なベルト回収用治具を提供する。【解決手段】ベルト５の一端部のアイ部７に他端部のアイ部８とベルト本体６とを挿通させて管５１の受口５２の外周に巻き付けられたベルト５を回収するためのベルト回収用治具１であって、治具本体２０と、治具本体２０に連結された策体２１とを有し、治具本体２０は、ベルト５が挿通可能な挿通部２５と、回転自在な係合部材２４とを有し、係合部材２４は、策体２１が受口５２の手前側である回収方向Ｃへ引っ張られた際、挿通部２５に挿通されたベルト本体６に、回収方向Ｃの反対側から係合する。【選択図】図１１
2020159359.tif 000002
【特許請求の範囲】
【請求項１】
ベルト本体の両端部に環状のアイ部を有するベルトの一端部のアイ部に他端部のアイ部とベルト本体とを挿通させて管の受口の外周に巻き付けられたベルトを回収するためのベルト回収用治具であって、
治具本体と、治具本体に連結された策体とを有し、
治具本体は、ベルトが挿通可能な挿通部と、回転自在な係合部材とを有し、
係合部材は、策体が受口の手前側である回収方向へ引っ張られた際、挿通部に挿通されたベルト本体に、回収方向の反対側から係合することを特徴とするベルト回収用治具。
【請求項２】
上記請求項１に記載のベルト回収用治具を用いて、管路敷設坑内の一方の管の受口に他方の管の挿し口を挿入して一方の管に他方の管を接合する管の接合方法であって、
ベルト回収用治具の治具本体の挿通部にベルトを通し、
ベルトの一端部のアイ部に他端部のアイ部とベルト本体とを挿通させて一方の管の受口の外周にベルトを巻き付けて、ベルト本体の巻付部分に治具本体をセットし、
他方の管の挿し口を一方の管の受口に挿入し、
他方の管の挿し口とは反対側の端部側とベルトの他端部のアイ部との間に引き寄せ装置を取り付け、
引き寄せ装置を操作してベルトを他方の管の離脱方向へ引っ張ることにより他方の管に発生する反力で、他方の管を挿入方向へ引き寄せて他方の管の挿し口を一方の管の受口にさらに挿入して、一方の管に他方の管を接合し、
引き寄せ装置を取り外し、
ベルト回収用治具の策体を回収方向へ引っ張ることにより、ベルトを、一方の管の受口の外周から取り外し、他方の管の手前側へ引き寄せて回収することを特徴とする管の接合方法。
【請求項３】
一方の管に他方の管を接合した後、他方の管の下方に支持部材を設置して、他方の管を支持部材で支持し、
ベルトが他方の管の外周と支持部材の上面との隙間および支持部材の端部と管路敷設坑の内壁面との隙間に入り込むのを阻止する阻止部材を、他方の管の外周と管路敷設坑の内壁面との間に取り付け、
ベルト回収用治具の策体を回収方向へ引っ張ることにより、ベルトを、一方の管の受口の外周から取り外し、他方の管の手前側へ引き寄せて回収することを特徴とする請求項２記載の管の接合方法。
【発明の詳細な説明】
【技術分野】
【０００１】
本発明は、管の受口の外周に巻き付けられたベルトを回収するためのベルト回収用治具およびベルト回収用治具を用いて管を接合する接合方法に関する。
【背景技術】
【０００２】
従来、図１６〜図１８に示すように、地下に構築された管路敷設坑１２０内に形成された管路１２１の最後尾の一方の管１２２の受口１２３に他方の管１２４の挿し口１２５を挿入して一方の管１２２と他方の管１２４とを接合する際に、両端アイ型のスリングベルト１２６を用いていた。
【０００３】
このスリングベルト１２６はベルト本体１２７の両端部に環状のアイ部１２８，１２９を有している。
【０００４】
このようなスリングベルト１２６を用いた一方の管１２２と他方の管１２４との接合方法を以下に説明する。
【０００５】
先ず、図１６に示すように、スリングベルト１２６の一端部のアイ部１２８に他端部のアイ部１２９とベルト本体１２７とを挿通させて一方の管１２２の受口１２３の外周にスリングベルト１２６を巻き付ける。
【０００６】
次に、図１７に示すように、他方の管１２４を管搬送車両１３４で搬送し、他方の管１２４の挿し口１２５を一方の管１２２の受口１２３に挿入して預ける。そして、図１８に示すように、他方の管１２４の挿し口１２５とは反対側の受口１２３側とスリングベルト１２６の他端部のアイ部１２９とにレバーホイスト１３０を取り付ける。
【０００７】
その後、レバーホイスト１３０のレバー１３１を操作してスリングベルト１２６を他方の管１２４の離脱方向へ引っ張ることにより他方の管１２４に発生する反力で、他方の管１２４を挿入方向Ｂへ引き寄せて他方の管１２４の挿し口１２５を一方の管１２２の受口１２３にさらに押し込んで、一方の管１２２に他方の管１２４を接合する。
【０００８】
その後、レバーホイスト１３０を取り外し、スリングベルト１２６のベルト本体１２７と他端部のアイ部１２９とを一端部のアイ部１２８から抜いて、スリングベルト１２６を一方の管１２２の受口１２３の外周から取り外して回収する。
【０００９】
尚、上記のようにスリングベルトを用いて管を接合する方法は例えば下記特許文献１に記載されている。
【先行技術文献】
【特許文献】
【００１０】
【特許文献１】特開２０１５−７５１６９
【発明の概要】
【発明が解決しようとする課題】
【００１１】
上記の従来形式では、図１８に示すように、管路敷設坑１２０の内壁面１３２と管１２２，１２４の外周との間に十分に広い作業スペース１３３が確保されていれば、作業者は、作業スペース１３３にて、上記のようにスリングベルト１２６のベルト本体１２７と他端部のアイ部１２９とを一端部のアイ部１２８から抜いて、スリングベルト１２６を一方の管１２２の受口１２３の外周から取り外して回収することができる。しかしながら、作業スペース１３３が狭い場合、作業者が作業スペース１３３に立ち入ることができず、スリングベルト１２６の回収が困難になるといった問題がある。
【００１２】
本発明は、管路敷設坑の内壁面と管の外周との間の作業スペースが狭い場合であっても、ベルトを容易に回収することが可能なベルト回収用治具および管の接合方法を提供することを目的とする。
【課題を解決するための手段】
【００１３】
上記目的を達成するために、本第１発明は、ベルト本体の両端部に環状のアイ部を有するベルトの一端部のアイ部に他端部のアイ部とベルト本体とを挿通させて管の受口の外周に巻き付けられたベルトを回収するためのベルト回収用治具であって、
治具本体と、治具本体に連結された策体とを有し、
治具本体は、ベルトが挿通可能な挿通部と、回転自在な係合部材とを有し、
係合部材は、策体が受口の手前側である回収方向へ引っ張られた際、挿通部に挿通されたベルト本体に、回収方向の反対側から係合するものである。
【００１４】
これによると、ベルト回収用治具の治具本体の挿通部にベルトを通し、ベルトの一端部のアイ部に他端部のアイ部とベルト本体とを挿通させて管の受口の外周にベルトを巻き付けて、ベルト本体の巻付部分に治具本体をセットする。
【００１５】
その後、ベルトを回収する場合、ベルト回収用治具の策体を回収方向に引っ張ることにより、ベルト本体が治具本体に引っ張られてＶ形状に湾曲するとともに治具本体の挿通部を通過し、治具本体の係合部材がベルト本体に係合しながら回転し、治具本体がベルト本体の湾曲部分に留まりながらベルト本体が長さ方向へスムーズに送られて、ベルト本体と他端部のアイ部とが一端部のアイ部を通り抜ける。これにより、ベルトが管の受口の外周から取り外され、その後、他端部のアイ部が治具本体に係合し、ベルトが治具本体と共に回収方向へ引き寄せられる。従って、管路敷設坑の内壁面と管の外周との間の作業スペースが狭い場合であっても、ベルトを容易に回収することが可能である。
【００１６】
また、ベルトを回収する際、上記のように治具本体の係合部材がベルト本体に係合しながら回転するため、ベルト本体が係合部材に対し摺動して摩耗するのを防止することができる。
【００１７】
本第２発明は、上記第１発明に記載のベルト回収用治具を用いて、管路敷設坑内の一方の管の受口に他方の管の挿し口を挿入して一方の管に他方の管を接合する管の接合方法であって、
ベルト回収用治具の治具本体の挿通部にベルトを通し、
ベルトの一端部のアイ部に他端部のアイ部とベルト本体とを挿通させて一方の管の受口の外周にベルトを巻き付けて、ベルト本体の巻付部分に治具本体をセットし、
他方の管の挿し口を一方の管の受口に挿入し、
他方の管の挿し口とは反対側の端部側とベルトの他端部のアイ部との間に引き寄せ装置を取り付け、
引き寄せ装置を操作してベルトを他方の管の離脱方向へ引っ張ることにより他方の管に発生する反力で、他方の管を挿入方向へ引き寄せて他方の管の挿し口を一方の管の受口にさらに挿入して、一方の管に他方の管を接合し、
引き寄せ装置を取り外し、
ベルト回収用治具の策体を回収方向へ引っ張ることにより、ベルトを、一方の管の受口の外周から取り外し、他方の管の手前側へ引き寄せて回収するものである。
【００１８】
これによると、ベルト回収用治具を用いることにより、管路敷設坑の内壁面と管の外周との間の作業スペースが狭い場合であっても、ベルトを容易に回収することが可能である。
【００１９】
本第３発明における管の接合方法は、一方の管に他方の管を接合した後、他方の管の下方に支持部材を設置して、他方の管を支持部材で支持し、
ベルトが他方の管の外周と支持部材の上面との隙間および支持部材の端部と管路敷設坑の内壁面との隙間に入り込むのを阻止する阻止部材を、他方の管の外周と管路敷設坑の内壁面との間に取り付け、
ベルト回収用治具の策体を回収方向へ引っ張ることにより、ベルトを、一方の管の受口の外周から取り外し、他方の管の手前側へ引き寄せて回収するものである。
【００２０】
これによると、阻止部材を他方の管の外周と管路敷設坑の内壁面との間に取り付けた後、ベルト回収用治具の策体を回収方向へ引っ張って、ベルトを一方の管の受口の外周から取り外すことにより、取り外されたベルトが他方の管の外周と支持部材の上面との隙間又は支持部材の端部と管路敷設坑の内壁面との隙間に入り込んで引っ掛かってしまうのを防止することができる。これにより、取り外したベルトを回収方向へ引き寄せる際、ベルトが引っ掛かることはなく、ベルトを確実に回収することができる。
【発明の効果】
【００２１】
以上のように本発明によると、管路敷設坑の内壁面と管の外周との間の作業スペースが狭い場合であっても、ベルト回収用治具を用いることにより、ベルトを容易に回収することができる。
【図面の簡単な説明】
【００２２】
【図１】本発明の第１の実施の形態におけるベルト回収用治具の斜視図である。
【図２】同、ベルト回収用治具の治具本体の断面図である。
【図３】図２におけるＸ−Ｘ矢視図である。
【図４】同、ベルト回収用治具によって回収されるスリングベルトの図である。
【図５】同、ベルト回収用治具を用いた管の接合方法を示す図である。
【図６】同、ベルト回収用治具を用いた管の接合方法を示す図である。
【図７】同、ベルト回収用治具を用いた管の接合方法を示す図である。
【図８】同、ベルト回収用治具を用いた管の接合方法を示す図である。
【図９】同、ベルト回収用治具を用いた管の接合方法を示す断面図であり、阻止部材を取り付けた様子を示す。
【図１０】同、ベルト回収用治具を用いた管の接合方法を示す図である。
【図１１】同、ベルト回収用治具を用いた管の接合方法を示す図であり、図１０の一部を拡大表示したものである。
【図１２】同、ベルト回収用治具を用いた管の接合方法を示す図である。
【図１３】本発明の第２の実施の形態におけるベルト回収用治具を用いた管の接合方法を示す図である。
【図１４】本発明の第３の実施の形態におけるベルト回収用治具を用いた管の接合方法を示す図である。
【図１５】図１４におけるＸ−Ｘ矢視図である。
【図１６】従来の管の接合方法を示す図である。
【図１７】同、管の接合方法を示す図である。
【図１８】同、管の接合方法を示す図である。
【発明を実施するための形態】
【００２３】
以下、本発明における実施の形態を、図面を参照して説明する。
【００２４】
（第１の実施の形態）
第１の実施の形態では、図１〜図３に示すように、１は管の受口の外周に巻き付けられたスリングベルト５（ベルトの一例）を回収するためのベルト回収用治具である。図４に示すように、スリングベルト５は、ベルト本体６と、ベルト本体６の両端部に設けられた環状のアイ部７，８とを有している。
【００２５】
ベルト回収用治具１は、治具本体２０と、治具本体２０に連結された回収用紐２１（策体の一例）とを有している。治具本体２０は、本体フレーム２３と、本体フレーム２３に設けられた係合ローラ２４(係合部材の一例)と、スリングベルト５が挿通可能な挿通部２５とを有している。
【００２６】
本体フレーム２３は、コの字型のフレームであり、幅方向Ｗにおいて相対向する一対の側板２７と、両側板２７の基端部間に設けられた板フレーム２８とを有している。係合ローラ２４は、両側板２７の先端部間に、回転軸３０を介して回転自在に取り付けられている。尚、回転軸３０の軸心方向は幅方向Ｗと同方向である。挿通部２５は係合ローラ２４と本体フレーム２３の側板２７と板フレーム２８とで囲まれた空間である。
回収用紐２１の一端は本体フレーム２３の板フレーム２８に連結している。
【００２７】
以下に、図５〜図１２を参照しながら、上記ベルト回収用治具１を用いて、管路敷設坑５０内の一方の管５１の受口５２に他方の管５３の挿し口５４を挿入して一方の管５１に他方の管５３を接合する管の接合方法を説明する。
【００２８】
尚、管路敷設坑５０はシールド掘進機によって地中に構築され、一次覆工が施工されている。管路敷設坑５０内には、複数の管を接合してなる管路５５と、レール５６とが敷設され、さらに、一方の管５１の受口５２側を下方から支持するＨ形鋼等の支持部材６５（枕木）と、他方の管５３を搬送する管搬送車両５７とが設けられている。
【００２９】
一方の管５１は管路５５を形成している最後尾の管である。一方の管５１と他方の管５３とは、例えばダクタイル鋳鉄管であり、それぞれの一端部に挿し口５４を有するとともに他端部に受口５２を有している。管搬送車両５７は、レール５６上を走行自在であり、他方の管５３を支持する走行台車５８を有している。
【００３０】
先ず、一方の管５１の受口５２の内周に、予めシール用のゴム輪等を装着しておく。そして、図１の仮想線で示すように、ベルト回収用治具１の治具本体２０の挿通部２５にスリングベルト５を通し、図５に示すように、スリングベルト５の一端部のアイ部７に他端部のアイ部８とベルト本体６とを挿通させて一方の管５１の受口５２の外周にスリングベルト５を巻き付けて、ベルト本体６の巻付部分１０に治具本体２０をセットする。
【００３１】
そして、スリングベルト５の他端部のアイ部８とベルト回収用治具１の回収用紐２１とを、一方の管５１の受口５２の手前側へ引き出し、管路敷設坑５０内の天井部に設けたフック６６に引っ掛けておく。
【００３２】
その後、図６に示すように、管搬送車両５７の走行台車５８上に他方の管５３を載置して搬送し、他方の管５３の挿し口５４を一方の管５１の受口５２に挿入して預ける。
【００３３】
そして、図７に示すように、スリングベルト５の他端部のアイ部８をフック６６から取り外し、他方の管５３の受口５２側（挿し口とは反対側の端部側に相当）とスリングベルト５の他端部のアイ部８との間にレバーホイスト６７（引き寄せ装置の一例）を取り付ける。すなわち、レバーホイスト６７の一方のフック６８を他方の管５３の受口５２の開口端部に引っ掛け、他方のフック６９をスリングベルト５の他端部のアイ部８に引っ掛ける。
【００３４】
その後、レバーホイスト６７のレバー７０を操作してスリングベルト５を他方の管５３の離脱方向Ａへ引っ張ることにより他方の管５３に発生する反力で、他方の管５３を挿入方向Ｂへ引き寄せて他方の管５３の挿し口５４を一方の管５１の受口５２にさらに押し込む。このようにして挿し口５４を受口５２に所定量挿入することにより、一方の管５１に他方の管５３が接合される。
【００３５】
その後、レバーホイスト６７を取り外す。そして、ジャッキ（図示省略）を用いて他方の管５３の受口５２側を持ち上げ、管搬送車両５７を後退させて、走行台車５８を他方の管５３の下方から受口５２の手前側へ抜き出す。
【００３６】
次に、図８に示すように、他方の管５３の受口５２側の下方に支持部材６５を設置し、ジャッキで持ち上げていた他方の管５３の受口５２側を支持部材６５上に降ろし、ジャッキを撤去する。これにより、他方の管５３の受口５２側が支持部材６５で支持される。
【００３７】
そして、図９に示すように、スリングベルト５を回収する際に、スリングベルト５が他方の管５３の外周と支持部材６５の上面との間の第１隙間７６および支持部材６５の端部と管路敷設坑５０の内壁面７３との間の第２隙間７７に入り込むのを阻止する阻止部材７８を、他方の管５３の外周と管路敷設坑５０の内壁面７３との間に取り付ける。尚、阻止部材７８は、着脱自在な板状の部材であり、第１および第２隙間７６，７７の上方を覆うように斜めに取り付けられる。
【００３８】
その後、図１０に示すように、ベルト回収用治具１の回収用紐２１を、フック６６から取り外し、他方の管５３の受口５２の手前側である回収方向Ｃへ引っ張る。
【００３９】
これにより、図１１に示すように、ベルト本体６が治具本体２０に引っ張られてＶ形状に湾曲するとともに治具本体２０の挿通部２５を通過し、係合ローラ２４が回収方向Ｃの反対側からベルト本体６に係合しながら回転し、治具本体２０がベルト本体６の湾曲部分７１に留まりながらベルト本体６が長さ方向へスムーズに送られて、ベルト本体６と他端部のアイ部８とが一端部のアイ部７を通り抜ける。
【００４０】
これにより、スリングベルト５が一方の管５１の受口５２の外周から取り外され、その後、図１２に示すように、他端部のアイ部８が治具本体２０に係合し、スリングベルト５が治具本体２０と共に回収方向Ｃへ引き寄せられる。このように、ベルト回収用治具１を用いて、スリングベルト５を回収方向Ｃへ引き寄せて回収することができるため、管路敷設坑５０の内壁面７３と管５１，５３の外周との間の作業スペース７４が狭い場合であっても、スリングベルト５を容易に回収することが可能である。
【００４１】
また、図３，図１１に示すように、スリングベルト５を回収する際、上記のように治具本体２０の係合ローラ２４がベルト本体６に係合しながら回転するため、ベルト本体６が係合ローラ２４に対し摺動して摩耗するのを防止することができる。
【００４２】
また、図９，図１２に示すように、スリングベルト５は、一方の管５１の受口５２の外周から取り外されて落下した場合、阻止部材７８に受け止められる。これにより、スリングベルト５が第１および第２隙間７６，７７に入り込むのを防止することができ、取り外したスリングベルト５を回収方向Ｃへ引き寄せる際、スリングベルト５が第１および第２隙間７６，７７に引っ掛かることはなく、スリングベルト５を確実に回収することができる。
【００４３】
上記第１の実施の形態では、図７に示すように、他方の管５３の受口５２側とスリングベルト５の他端部のアイ部８との間にレバーホイスト６７を取り付けた際、レバーホイスト６７は他方の管５３の外周と管路敷設坑５０の内壁面７３との間の作業スペース７４に配置される。
（第２の実施の形態）
上記第１の実施の形態では、一方の管５１に他方の管５３を接合する際、一方の管５１の受口５２の外周に１本のスリングベルト５を巻き付け、このスリングベルト５に治具本体２０をセットし、スリングベルト５を引っ張って他方の管５３を一方の管５１に接合しているが、１本のスリングベルト５ではアンバランスであれば、第２の実施の形態として図１３に示すように、受口５２の外周に２本のスリングベルト５を１８０°振り分けて巻き付け、両スリングベルト５にそれぞれ治具本体２０をセットし、２台のレバーホイスト６７を用いて両スリングベルト５をバランス良く引っ張って他方の管５３を一方の管５１に接合してもよい。
【００４４】
尚、第２の実施の形態では２本のスリングベルト５を用いたが、３本以上用いてもよい。
（第３の実施の形態）
上記第１および第２の実施の形態に比べて作業スペース７４が非常に狭く、上記第１および第２の実施の形態のようにレバーホイスト６７を作業スペース７４に配置することが困難な場合は、以下に記載する第３の実施の形態として、図１４，図１５に示すように、他方の管５３の受口５２に接合用治具８５を取り付ける。
【００４５】
接合用治具８５は平面視において四角枠状のフレーム体８５ａを有している。接合用治具８５の一端部が他方の管５３の受口５２内に挿入されて着脱自在に取り付けられる。尚、接合用治具８５のフレーム体８５ａの幅Ｗ１は他方の管５３の受口５２の内径以下に設定されている。
【００４６】
これによると、レバーホイスト６７の一方のフック６８を他方の管５３の受口５２に取り付けられた接合用治具８５に引っ掛け、他方のフック６９をスリングベルト５の他端部のアイ部８に引っ掛けることにより、レバーホイスト６７が接合用治具８５を介して他方の管５３の受口５２側とスリングベルト５の他端部のアイ部８との間に取り付けられる。
【００４７】
この際、フレーム体８５ａの幅Ｗ１は他方の管５３の受口５２の内径以下であるため、フレーム体８５ａと管路敷設坑５０の内壁面７３との間に広い作業スペース８６を確保することができ、この作業スペース８６にレバーホイスト６７を配置することができる。
【００４８】
そして、レバーホイスト６７を操作して、他方の管５３の挿し口５４を一方の管５１の受口５２に所定量挿入して、一方の管５１に他方の管５３を接合し、その後、レバーホイスト６７と接合用治具８５とを取り外す。
【００４９】
上記各実施の形態では、策体の一例として、回収用紐２１を用いたが、紐に限定されるものではなく、例えばロープ、鎖、ワイヤー等を用いてもよい。
【００５０】
上記各実施の形態では、引き寄せ装置の一例として、レバーホイスト６７を用いたが、レバーホイスト６７に限定されるものではなく、例えば油圧装置や電動装置によって自動的に他方の管５３を挿入方向Ｂへ引き寄せる装置であってもよい。
【符号の説明】
【００５１】
１        ベルト回収用治具
５        スリングベルト
６        ベルト本体
７        一端部のアイ部
８        他端部のアイ部
１０      巻付部分
２０      治具本体
２１      回収用紐（策体）
２４      係合ローラ（係合部材）
２５      挿通部
５０      管路敷設坑
５１      一方の管
５２      受口
５３      他方の管
５４      挿し口
６５      支持部材
６７      レバーホイスト（引き寄せ装置）
７６，７７      隙間
７８      阻止部材
Ａ        離脱方向
Ｂ        挿入方向
Ｃ        回収方向
【図１】
2020159359.tif 000003
【図２】
2020159359.tif 000004
【図３】
2020159359.tif 000005
【図４】
2020159359.tif 000006
【図５】
2020159359.tif 000007
【図６】
2020159359.tif 000008
【図７】
2020159359.tif 000009
【図８】
2020159359.tif 000010
【図９】
2020159359.tif 000011
【図１０】
2020159359.tif 000012
【図１１】
2020159359.tif 000013
【図１２】
2020159359.tif 000014
【図１３】
2020159359.tif 000015
【図１４】
2020159359.tif 000016
【図１５】
2020159359.tif 000017
【図１６】
2020159359.tif 000018
【図１７】
2020159359.tif 000019
【図１８】
2020159359.tif 000020